(57)【特許請求の範囲】
【請求項１】
映像が記録された画像記録メモリと、この画像記録メモリよりも小さい表示サイズメモリと、前記画像メモリを水平方向に短冊分割して短冊ごとに読み出すメモリ読み出し部と、前記画像記録メモリと前記表示サイズメモリの大きさの比率を計算し前記メモリ読出し部のデータの処理を行なう電子ズーム係数計算部と、ラインメモリ部と、前記電子ズーム係数計算部よりデータを前記ラインメモリ部へ書き込むラインメモリ書き込み部と、前記ラインメモリ部よりデータを読み出すラインメモリ読み出し部と、このラインメモリ読出し部から前記表示サイズメモリへデータの書き込みを行うメモリ書き込み部と、予め前記メモリ読出し部の前記短冊のデータ幅の最短幅を管理するデータ幅管理部と、前記データ幅と前記電子ズーム係数計算部の計算結果を元に前記短冊間の結合が有効となる結合部有効点を求めさらに有効点係数オフセット値を求める判別部と、抽出した前記データ幅と前記有効点係数オフセット値を格納するデータ記録部と、このデータ記録部のデータに基づく制御値を前記電子ズーム係数計算部に出力して前記短冊の結合部での画像不連続を防ぎ前記表示サイズメモリ上で画像結合を行わせる係数オフセット指示部とを備えた電子ズーム装置。
【請求項２】
映像が記録された画像記録メモリと、この画像記録メモリよりも小さい表示サイズメモリと、前記映像記録メモリを水平方向に２分割して分割線より順方向に読み出すメモリ順読み出し部と、前記分割線より逆方向に読み出す逆メモリ読み出し部と、前記画像記録メモリの分割幅と前記表示サイズメモリの２分割幅との比率を計算し前記順メモリ読出し部および前記逆メモリ読出し部のデータ処理を行なう電子ズーム係数計算部と、ラインメモリ部と、前記電子ズーム係数計算部よりデータを前記ラインメモリ部へ書き込むラインメモリ書き込み部と、前記ラインメモリ部よりデータを読み出すラインメモリ読み出し部と、前記順メモリ読出し部のデータを書き込んだ前記ラインメモリ部のデータに関して前記ラインメモリ読出し部から前記表示サイズメモリへデータを順方向に書き込みを行うメモリ順書き込み部と、前記逆メモリ読出し部のデータを書き込んだ前記ラインメモリ部のデータに関して前記ラインメモリ読出し部から前記表示サイズメモリへデータを逆方向に書き込みを行う逆メモリ書き込み部とを備え、前記メモリ順読み出し部と前記逆メモリ読み出し部から読み出したデータの画像結合を前記表示サイズメモリ上で行う電子ズーム装置。
【発明の詳細な説明】
【０００１】
【発明の属する技術分野】
この発明は、デジタルスチルカメラ（以後ＤＳＣと記す）等の静止画画像のサイズ変換を行う電子ズーム装置に関するものである。
【０００２】
【従来の技術】
近年、電子ズーム装置は、ＶＴＲ、ＤＶＣ等の動画記録再生機器用として大いなる技術発展がなされている。従来の電子ズーム装置としては、例えば特開平６−２６１２３９号の補間機能付き撮影装置に示されている。
【０００３】
以下に、従来の電子ズーム装置について説明する。図１０はこの従来の電子ズーム装置の構成図を示すものである。図１０において、画像記録メモリ１は、ＤＲＡＭ等の汎用メモリを用いる。この従来の処理例としては、静止画サイズを６４０×４８０のＶＧＡ画像をテレビ画面上で１／２サイズの子画面を生成するもので、この従来処理例は縮小動作となる。
【０００４】
メモリ読み出し部２は画像記録メモリ１から水平方向の６４０点を映像基準信号発生器１２（以後ＳＳＧと記す）の水平同期信号に同期させて順序よく読み出し、読み込みが終了した時は、次のラインへ移動する処理を行う回路である。
【０００５】
電子ズーム係数計算部３は画像記録メモリ１の幅（６４０点）から映像信号変調部１１の入力ライン幅（３６０点）に減少させる比率を計算しデータ補間、データ間引きを行う処理回路である。ラインメモリ書き込み部５は電子ズーム係数計算部３よりの制御信号でアドレス生成制御を行いラインメモリへのデータ書き込みを行う。ラインメモリ部６は、書き込み、読み出しが同時に可能なＦＩＦＯ構造のメモリである。ラインメモリ読み出し部７はＳＳＧ１２の出力する水平基準信号に同期させてデータを読み出し映像信号変調部１１に伝達する。映像信号変調部１１は３６０点の画像データを変調して映像信号とする。
【０００６】
上記動作により、テレビ画面上に１／２サイズの歪みの少ない画像が表示される。
【０００７】
以上は特開平６−２６１２３９号の補間機能付き撮影装置で述べられているズームの動作概要である。
【０００８】
尚、上記説明では水平ズームのみ記述したが垂直方向の９６０点から４８０点へのデータ変換には、従来技術である２ライン補間ズーム等の処理を用いた画像処理が必要である。
【０００９】
【発明が解決しようとする課題】
しかしながら上記の従来の構成では、画像サイズが水平画素で７３０点以下であれば、信号処理は可能であるが、近年のＤＳＣ等の静止画でサイズ例としてＶＧＡの２倍画像のＳＸＧＡの１２８０点となった時、水平方向のデータ量が２倍となり、メモリ読み出し部２、電子ズーム係数計算部３、ラインメモリ書き込み部５及びラインメモリの各ブロックの動作速度を２倍にしなければ水平同期信号期間内でのデータ処理ができない。
【００１０】
もし、クロックを２倍にすると各ブロックの回路で素子サイズを大きくし駆動能力を上げるためゲートサイズの増加及び動作時の消費電力量が増加する。
【００１１】
また、ＳＸＧＡサイズ以上の画像サイズ処理が発生した時、更に周波数を上げなければならなくなる。結果として、消費電力の増加、ゲートサイズの増加及び電子ズームブロックでの単一クロック処理はできなくなる。
【００１２】
簡易対策として、１２８０点のデータを１／２に間引きして６４０点データとしそれを拡大電子ズームして７２０画素を生成する方法はあるが、画質が低下するという問題点を有していた。
【００１３】
本発明は、上記従来の問題点を解決するもので、可変連続ズーム動作を可能とし、大型静止画像をテレビ等の映像信号変調器に従来の電子ズーム回路を用いて生成することができる電子ズーム装置を提供することを目的とする。
【００１４】
【課題を解決するための手段】
請求項１記載の電子ズーム装置は、映像が記録された画像記録メモリと、この画像記録メモリよりも小さい表示サイズメモリと、画像メモリを水平方向に短冊分割して短冊ごとに読み出すメモリ読み出し部と、画像記録メモリと表示サイズメモリの大きさの比率を計算しメモリ読出し部のデータの処理を行なう電子ズーム係数計算部と、ラインメモリ部と、電子ズーム係数計算部よりデータをラインメモリ部へ書き込むラインメモリ書き込み部と、ラインメモリ部よりデータを読み出すラインメモリ読み出し部と、このラインメモリ読出し部から表示サイズメモリへデータの書き込みを行うメモリ書き込み部と、予めメモリ読出し部の短冊のデータ幅の最短幅を管理するデータ幅管理部と、データ幅と電子ズーム係数計算部の計算結果を元に短冊間の結合が有効となる結合部有効点を求めさらに有効点係数オフセット値を求める判別部と、抽出したデータ幅と有効点係数オフセット値を格納するデータ記録部と、このデータ記録部のデータに基づく制御値を電子ズーム係数計算部に出力して短冊の結合部での画像不連続を防ぎ表示サイズメモリ上で画像結合を行わせる係数オフセット指示部とを備えたものである。
【００１５】
請求項１記載の電子ズーム装置によれば、映像が記録された画像記録メモリを従来の電子ズーム回路が処理可能なデータ幅で短冊状に区切って電子ズーム処理を行い、電子ズーム処理されたデータは映像信号変調部に入力するのではなく表示サイズメモリにズームされた短冊データとして記録する。この場合、短冊間のデータの連続性が問題となるが、１個あたりの短冊最低幅を指定し、データ幅管理部で最低幅をチェックし最低幅以上のデータ読み出しを行った以後は、判別部で短冊の切れ目として有効な点を検出する。検出した点を現短冊の短冊の幅とし、また次の短冊グループの先頭値として、またその点のズーム係数を次の短冊の開始係数としてデータ記録部に記録する。このように短冊の切れ目の最適値を可変処理で求めることで、表示サイズメモリ上では連続したデータを生成することが可能となる。
【００１６】
この結果、ズーム比固定処理及び任意のズーム比に可変したときも本装置の有する構成と処理によって外部のマイコン等の詳細な制御を必要としないで、連続ズーム動作を可能とし、大型静止画像をテレビ等の映像信号変調器に従来の電子ズーム回路を用いて生成する電子ズーム装置を提供することができる。
【００１７】
請求項２記載の電子ズーム装置は、映像が記録された画像記録メモリと、表示サイズメモリと、映像記録メモリを水平方向に２分割して分割線より順方向に読み出すメモリ順読み出し部と、分割線より逆方向に読み出す逆メモリ読み出し部と、画像記録メモリの分割幅と表示サイズメモリの２分割幅との比率を計算し順メモリ読出し部および逆メモリ読出し部のデータ処理を行なう電子ズーム係数計算部と、ラインメモリ部と、電子ズーム係数計算部よりデータをラインメモリ部へ書き込むラインメモリ書き込み部と、ラインメモリ部よりデータを読み出すラインメモリ読み出し部と、順メモリ読出し部のデータを書き込んだラインメモリ部のデータに関してラインメモリ読出し部から表示サイズメモリへデータを順方向に書き込みを行うメモリ順書き込み部と、逆メモリ読出し部のデータを書き込んだラインメモリ部のデータに関してラインメモリ読出し部から表示サイズメモリへデータを逆方向に書き込みを行う逆メモリ書き込み部とを備え、メモリ順読み出し部と逆メモリ読み出し部から読み出したデータの画像結合を表示サイズメモリ上で行うものである。
【００１８】
請求項２記載の電子ズーム装置によれば、２分割された短冊間につながりを考慮する目的で画像の中央から左の短冊を逆方向に読み出しズーム処理し表示サイズメモリの中央から逆方向に書き込み、また右の短冊を順方向に読み出しズーム処理し表示サイズメモリの中央から順方向に書き込む。このような処理を行うことにより画像記録メモリの大画像が表示サイズメモリ上にズームされた画像として生成できる。
【００１９】
【発明の実施の形態】
以下に、請求項１に対応するこの発明の第１の実施の形態について第１から図５を参照しながら説明する。図１は第１の実施の形態の電子ズーム装置の構成図を示すものである。図２は第１の実施の形態の電子ズーム装置のフローチャートを示すものである。
【００２０】
図１において、１は映像が記録された画像記録メモリを、２は書き込まれたデータ列と同一の方向にデータを読み出すメモリ読み出し部を、４１は予め短冊のデータ幅の最短幅を管理するデータ幅管理部を、４２はそのデータ幅と後述の電子ズーム係数計算部３の計算結果を元に短冊間の結合が有効となる結合部有効点を求め有効点係数オフセット値を求める判別部を、４３は抽出したデータ幅と有効点係数オフセット値を格納するデータ記録部を、４は２回目以降の短冊処理時に、データ記録部４３のデータに基づく制御値を電子ズーム係数計算部３に出力して短冊の結合部での画像不連続を防ぎ後述の表示サイズメモリ９上で画像結合を行わせる係数オフセット指示部を、３は画像の圧縮比率を制御する、すなわち画像記録メモリ１（１２８０データ）の短冊幅と表示サイズメモリ９（７２０データ）の短冊幅の大きさの比率すなわちズーム比率を計算しメモリ読出し部２のデータの補間または間引きの処理を行なう電子ズーム係数計算部を、５はラインメモリ書き込み部を、６はラインメモリ部を、７はラインメモリ読み出し部を、９は画像記録メモリより小さい表示サイズメモリ、８は表示サイズメモリ９へ書き込みを行うメモリ書き込み部を、１０は表示サイズメモリ９のメモリ読み出し部を、１１は映像信号変調部を、１２はメモリ読み出し部１０と映像信号変調部１１に対して基準同期信号を生成する映像基準信号発生器（ＳＳＧ）を、それぞれ示す。第１の実施の形態では、メモリ読み出し部２は画像記録メモリ１を３分割してその各短冊を順次読み出すこととしている。
【００２１】
以上のように構成された第１の実施の形態の電子ズーム装置について、以下その動作について説明する。
【００２２】
処理の開始は図４の短冊１から行う。図１のデータ幅管理部４１に短冊の最短幅を指定し、電子ズーム係数計算部３に初期係数オフセット値を指定し、画像記録メモリ１からメモリ読み出し部２を用いてデータを読み出し、電子ズーム係数計算部３でズーム計算及び間引き計算を行う。図中の電子ズーム係数計算部３、ラインメモリ書き込み部５、ラインメモリ部６、ラインメモリ読み出し部７は従来例で示すブロックであり、従来と同様の処理を行う。
【００２３】
メモリ読み出し部２で行われるデータ読み込み個数はデータ幅管理部４１でチェックし初期設定された短冊最短幅以上のデータ数となった場合（図２のステップ１７）、ズームの有効点の検出を行う（図２のステップ１８）。検出は判別部４２で電子ズーム係数計算部３の結果を元に判定を行い、有効点検出時に取込データの最終値を示すライン確定フラグをセットする。上記の動作が図２に示すスタートからステップ１９、２０に至るフローとなる。
【００２４】
ここで、有効点検出により求められる短冊の取込終了点、次の短冊グループの先頭点、および係数オフセットについて図３を用いて説明する。
【００２５】
図３は係数計算の例として、画像の１／１．５圧縮時を示す。入力信号例は１○から８○で計算結果、１’●から５’●が求められる。
【００２６】
入力信号の点間を２５６した時ズーム比率は１：１．５＝２５６：３８４となり求める水平ピッチ係数は３８４となる。尚、係数のオフセットであるスタートピッチは０として考える。１’●は１○と２○の合成で求める。
【００２７】
スタートピッチ０により１○のゲインは１で、２○のゲインは０となり、１’●＝１○の出力が得られる２’●は１’●から３８４離れた点となり、１○から２○の移動距離２５６を減算することで、３８４−２５６＝１２８が求められる。１２８は２○と３○の中間位置であり、２○と３○のゲインは共に０．５となり、２’●が求められる。２’●の１２８から３８４を加算すると、係数は５１２となり、入力信号の２点間距離を越える。これにより次の３’●演算では、３○データは計算に使用しない間引きデータとする。間引きとなったことで５１２から２５６を減算する。３○の位置から２５６を減算した点が３’●となる。この点は４○と５○で生成されるが、係数が０のため４○のゲインは１で、５○のゲインは０となり、３’●＝４○の出力となる。以後同様な計算を進める。
【００２８】
２点でのデータ補間ズームでは、６４０点の処理を行うのに６４１点が必要となる。１２８０点の短冊を行うためには１〜６４０点の短冊と、６４０〜１２８０点の短冊で行い中央部で１点交錯する。短冊がスムーズな例として終了点が５○の場合を説明する。短冊が終了する時の係数値が０であることから次の短冊の計数値を３８４−２５６の１２８をスタートピッチとして次の短冊開始時指定することで３’●から４’●のデータ間隔が３８４と一定値とすることが出来る。
【００２９】
短冊が異常な例として終了点が６○の場合を説明する。短冊が終了する時の係数値が異常ポイントであることから、次の短冊の計数値を０をスタートピッチとして次の短冊開始時指定する。スタートピッチ０により６○のゲインは１で７○のゲインは０となり、５’●＝６○の出力となり、４’●から５’●のデータ間隔が１２８となり、出力信号等間隔が失われる。
【００３０】
このように交錯点に間引きデータ点が入ると、接続時に短冊データの連続性が損なわれる。短冊処理間でデータをスムーズに接続するためには短冊の先頭が上記間引きデータの位置を回避し、前短冊処理の最終値と連続性のあるスタートピッチを指示することで可能となり、そのポイントの係数値と位置をデータ記録部４３に記録する。
【００３１】
ここで、図３中のエラー接続点は図中の３○と６○で係数値が２５６を超えた点であり、正常接続点は１○、２○、４○、５○、７○、８○の係数が０＜ｎ＜２５６であり、ｎは水平ピッチ係数の増加値から入力ピッチ値（２５６）を減算した値であり、ダミー点は減算した後の値が２５６を超えるデータポイントの意味である。
【００３２】
図４の短冊１に於ける２ライン目以降は短冊１の先頭から抽出したデータ幅の間で短冊１内の全ラインの処理を行い、短冊１の処理を終了する。図２のステップ２３からステップ２４までのフローとなる。
【００３３】
次短冊処理は隣り合った図４の短冊２に対して行われる（図２のステップ２６）。短冊２の開始点は短冊１で求めデータ記録部４３に格納した短冊１の終了点を開始点及び係数オフセット値を基準として短冊処理を開始する。
【００３４】
上記処理を繰り返し行うことで画像記録メモリ１の映像がズーム処理して表示サイズメモリ９上に配置される。このような処理をすべての短冊で行うことにより画像記録メモリ１の大画像が表示サイズメモリ９上に縮小された画像として生成できる。
【００３５】
全データの処理が終了した後（図２のステップ２５）、同期信号発生器（ＳＳＧ）１２の発生する同期信号によるタイミングで、メモリ読み出し部１０により表示サイズメモリ９の右端から左端に向けてデータを読み出し、映像信号変調部１１に伝達する。以降のフローとしてはステップ２７からステップ２９が行なわれる。
【００３６】
以上のように第１の実施の形態によれば、従来の電子ズーム装置を用い大画像を短冊処理し、電子ズームした表示データを一旦汎用メモリ上に格納し、電子ズーム係数部３に係数オフセット指示部４を設けることにより、結合される次の短冊データを表示サイズメモリ９上で短冊１〜４間の切れ目なくスムーズにつなげることができる。
【００３７】
図４に４短冊構成を示すと共に、図５に画像記録メモリ１と表示サイズメモリ９を同一の汎用メモリ上に構成することも可能である例を示す。
【００３８】
以下に、請求項２に対応するこの発明の第２の実施の形態について図６から図９を参照しながら説明する。
【００３９】
請求項１と請求項２の違いは、短冊数が２個以上か２個かで分かれる。請求項１は、短冊が２個以上の場合の処理であり、特徴として連続可変ズームにも活用できる制御回路を内蔵している。それに対して、請求項２は短冊が２個と固定されているが、請求項１と同じ連続可変ズームに対応し複雑な制御回路を必要としないで同一の効果を得ることができる。
【００４０】
図６は第２の実施の形態の電子ズーム装置の構成図を示すものである。図６において、１は映像が記録された画像記録メモリ（幅１２８０データ）を、２は書き込まれたデータ列と同一方向にデータを読み出すメモリ順読み出し部を、２１は書き込まれたデータ列と反対方向にデータを読み出す逆メモリ読み出し部を、３は画像の圧縮比率を制御する、すなわち画像記録メモリ１の分割幅と後述の表示サイズメモリ９の２分割幅との比率を計算し順メモリ読出し部２および逆メモリ読出し部２１のデータ補間またはデータ間引きの処理を行なう電子ズーム係数計算部を、５はラインメモリ書き込み部を、６はラインメモリ部を、７は通常ラインメモリ読み出し部を、９はメモリ順読み出し部２と逆メモリ読み出し部２１から読み出したデータの画像結合を行う表示サイズメモリ（幅７２０データ）を、８は順メモリ読出し部２のデータを書き込んだラインメモリ部６のデータに関してラインメモリ読出し部７から表示サイズメモリ９へデータを順方向に書き込むメモリ順書き込み部を、８１は逆メモリ読出し部２１のデータを書き込んだラインメモリ部６のデータに関してラインメモリ読出し部７から表示サイズメモリ９へデータを逆方向に書き込みを行う逆メモリ書き込み部を、１０はメモリ読み出し部を、１１は映像信号変調部を、１２はメモリ読み出し部１０と映像信号変調部１１に対して基準同期信号を生成するＳＳＧを、それぞれ示す。
【００４１】
以上のように構成された第２の実施の形態の電子ズーム装置について、以下その動作について説明する。
【００４２】
画像データの入った画像記録メモリ１に対し、画像を２分割し、分割線を中心に以下の処理を行う。
【００４３】
画像記録メモリ１の左側半分の処理は図７のスタートからステップ３０までのフローで行なわれ、メモリ逆読み出し部２１により記録時と逆の方向で読み出される。画像記録メモリ１から水平方向の左データエリアの１ラインを読み出し、読み込みが終了した時は、ステップ３０からもどり次のラインへ移動する処理を行う。電子ズーム係数計算部３は上記したように画像記録メモリ１の幅から映像信号変調部１１の入力ラインの１／２幅、すなわち表示サイズメモリ９の１／２幅、に減少させる比率を計算しデータ補間、データ間引きを行う処理回路である。ラインメモリ書き込み部５は電子ズーム係数計算部３よりの制御信号でアドレス生成制御を行いラインメモリ部６へのデータ書き込みを行う。ラインメモリ部６は、書き込み、読み出しが同時に可能なＦＩＦＯ構造のメモリである。ラインメモリ読み出し部７から読み出されたデータをラインメモリ逆書き込み部８１は表示サイズメモリ９に処理データを書き込む。
【００４４】
画像記録メモリ１の右側半分の処理は、ステップ３０からステップ３１のフローであり、メモリ読み出し部２により記録時と同じ方向で読み出される。画像記録メモリ１から水平方向の右データエリアの１ラインを読み出し、読み込みが終了した時は、ステップ３１からもとにもどり次のラインへ移動する処理を行う。
【００４５】
このときも電子ズーム係数計算部３は画像記録メモリ１の幅から映像信号変調部１１の入力ラインの１／２幅、すなわち表示サイズメモリ９の１／２幅、に減少させる比率を計算しデータ補間、データ間引きを行う処理回路である。ラインメモリ書き込み部５は電子ズーム係数計算部３よりの制御信号でアドレス生成制御を行いラインメモリへのデータ書き込みを行う。ラインメモリ部６は、書き込み、読み出しが同時に可能なＦＩＦＯ構造のメモリである。ラインメモリ読み出し部７から読み出されたデータをラインメモリ順書き込み部８は表示サイズメモリ９に処理データを順方向に書き込む。
【００４６】
全データの処理が終了すると、表示サイズメモリ９に画像記録メモリ１の画像データが縮小されて記録されたこととなる。
【００４７】
全データの処理が終了した後、図７のステップ３１よりエンドに至るフローが行なわれ、このとき同期信号発生器ＳＳＧ１２の発生する同期信号によるタイミングで、メモリ読み出し部１０により表示サイズメモリ９の右端から左端に向けてデータを読み出し、映像信号変調部１１に伝達する。
【００４８】
上記動作により、テレビ画面上に歪みの少ない画像が表示される。
【００４９】
また、画像を２分割し、分割線を中心に左右対称の処理を行うことで、請求項１に対応する第１の実施の形態で用いた係数のオフセット指示が不要となる。
【００５０】
図８に２短冊構成を示すと共に、図９に画像記録メモリ１と表示サイズメモリ９を同一の汎用メモリ上に構成することも可能である例を示す。図８では短冊１が矢印のように逆向きにデータ読み出しされ、短冊２が矢印のように順方向にデータ読み出しされている。
【００５１】
なお上記の方式では、従来処理と比較して処理時間が多く必要とする。しかし、表示対象が動画でなく静止画であるためシステム上の課題とはならない。
【００５２】
【発明の効果】
請求項１記載の電子ズーム装置によれば、映像が記録された画像記録メモリを従来の電子ズーム回路が処理可能なデータ幅で短冊状に区切って電子ズーム処理を行い、電子ズーム処理されたデータは映像信号変調部に入力するのではなく表示サイズメモリにズームされた短冊データとして記録する。この場合、短冊間のデータの連続性が問題となるが、１個あたりの短冊最低幅を指定し、データ幅管理部で最低幅をチェックし最低幅以上のデータ読み出しを行った以後は、判別部で短冊の切れ目として有効な点を検出する。検出した点を現短冊の短冊の幅とし、また次の短冊グループの先頭値として、またその点のズーム係数を次の短冊の開始係数としてデータ記録部に記録する。このように短冊の切れ目の最適値を可変処理で求めることで、表示サイズメモリ上では連続したデータを生成することが可能となる。
【００５３】
この結果、ズーム比固定処理及び任意のズーム比に可変したときも本装置の有する構成と処理によって外部のマイコン等の詳細な制御を必要としないで、連続ズーム動作を可能とし、大型静止画像をテレビ等の映像信号変調器に従来の電子ズーム回路を用いて生成する電子ズーム装置を提供することができる。
【００５４】
請求項２記載の電子ズーム装置によれば、２分割された短冊間につながりを考慮する目的で画像の中央から左の短冊を逆方向に読み出しズーム処理し表示サイズメモリの中央から逆方向に書き込み、また右の短冊を順方向に読み出しズーム処理し表示サイズメモリの中央から順方向に書き込む。このような処理を行うことにより画像記録メモリの大画像が表示サイズメモリ上にズームされた画像として生成できる。
【図面の簡単な説明】
【図１】本発明の請求項１に対応する第１の実施の形態における電子ズーム装置のブロック構成図である。
【図２】その動作フローチャートである。
【図３】電子ズームの係数計算処理の動作原理を説明する説明図である。
【図４】第１の実施の形態の短冊処理に於ける画像処理手順の説明図である。
【図５】第１の実施の形態の短冊処理に於けるメモリ活用例の説明図である。
【図６】本発明の請求項２に対応する第２の実施の形態における電子ズーム装置のブロック構成図である。
【図７】その動作フローチャートである。
【図８】第２の実施の形態の短冊処理における画像処理手順の説明図である。
【図９】第２の実施の形態の短冊処理に於けるメモリ活用例の説明図である。
【図１０】従来の子ズーム装置を示す、縮小動作時のブロック構成図である。
【符号の説明】
１    画像記録メモリ
２    メモリ読み出し部
２１    メモリ逆読み出し部
３    電子ズーム係数計算部
４    係数オフセット指示部
４１    データ幅管理部
４２    判別部
４３    データ記録部
５    ラインメモリ書き込み部
６    ラインメモリ部
７    ラインメモリ読み出し部
８    メモリ書き込み部
８１    メモリ逆書き込み部
９    表示サイズメモリ
１０    メモリ読み出し部
１１    映像信号変調部
１２    映像標準信号発生器（ＳＳＧ）
【図１】
0003788874.tif 000002
【図２】
0003788874.tif 000003
【図３】
0003788874.tif 000004
【図４】
0003788874.tif 000005
【図５】
0003788874.tif 000006
【図６】
0003788874.tif 000007
【図７】
0003788874.tif 000008
【図８】
0003788874.tif 000009
【図９】
0003788874.tif 000010
【図１０】
0003788874.tif 000011